(57)【要約】【課題】原稿の両面を読み取り可能な画像読取装置の揺動等を伴う部位の駆動源を共有化することで、駆動源等の部品点数、コスト及び駆動源の設置スペースを削減する。【解決手段】原稿Ｇを反転させて原稿の両面を読み取る画像読取装置において、給紙トレイ１上の原稿を繰り込むピックアップローラ１１と、正逆回転して原稿の搬送方向を切り換え可能な排出ローラ３２ａと、原稿の搬送方向を切り換える搬送方向切換ゲート２２と、を具備し、共有化した駆動源でピックアップローラ１１と排出ローラ３２ａとを連動させる。または共有化した駆動源で搬送方向切換ゲート２２と排出ローラ３２ａとを連動させる。さらにまたは共有化した駆動源でピックアップローラ１１と搬送方向切換ゲート２２とを連動させる。【選択図】図３
2009018887.tif 000002
【特許請求の範囲】
【請求項１】
原稿を反転させて原稿の両面を読み取る画像読取装置において、
給紙トレイ上の原稿に接離するように、揺動可能に設けられたピックアップローラと、
正逆回転して原稿の搬送方向を切り換え可能であるとともに、相互に接離可能な１対の排出ローラと、
前記ピックアップローラの揺動と前記排出ローラの接離とを連動させる連動手段と、
を備えたことを特徴とする画像読取装置。
【請求項２】
原稿を反転させて原稿の両面を読み取る画像読取装置において、
揺動することで原稿の搬送方向を切り換える搬送方向切換ゲートと、
正逆回転して原稿の搬送方向を切り換え可能であるとともに、相互に接離可能な１対の排出ローラと、
前記搬送方向切換ゲートの揺動と前記排出ローラの接離とを連動させる連動手段と、
を備えたことを特徴とする画像読取装置。
【請求項３】
原稿を反転させて原稿の両面を読み取る画像読取装置において、
給紙トレイ上の原稿に接離するように、揺動可能に設けられたピックアップローラと、
揺動することで原稿の搬送方向を切り換える搬送方向切換ゲートと、
前記ピックアップローラの揺動と前記搬送方向切換ゲートの揺動とを連動させる連動手段と、
を備えたことを特徴とする画像読取装置。
【請求項４】
前記給紙トレイの上部に設けた原稿排出部から原稿を排出するための搬送経路を有することを特徴とする請求項１乃至３のいずれか１項に記載の画像読取装置。
【発明の詳細な説明】
【技術分野】
【０００１】
本発明は、原稿の表裏両面の読み取りが可能な画像読取装置の技術に関する。
【背景技術】
【０００２】
従来、原稿の表裏両面の読み取りを行う画像読取装置として、原稿を画像読取部へ給送して、原稿の表面の画像を読み取り、読み取った原稿を原稿排出部の方向へ搬送した後、原稿の後端部を挟持する排出ローラの回転方向を切り換えて原稿をスイッチバック搬送し、スイッチバック搬送させた原稿を反転させながら再度画像読取部へ給送し、原稿の裏面の画像を読み取る画像読取装置が知られている（例えば、特許文献１参照）。
【０００３】
図８に従来の画像読取装置４００を示す。画像読取装置４００は給紙トレイ４１０に載置された原稿Ｇを給紙するためのピックアップローラ４１１と、原稿Ｇを排出トレイ４３３へ排出し、又は原稿Ｇをスイッチバック搬送するための排出ローラ４３１ａ・４３１ｂと、を具備する。
【０００４】
前記ピックアップローラ４１１は揺動アーム４１２に軸支されており、ピックアップローラ４１１が、原稿Ｇの搬送方向に対して上下方向に揺動することで、給紙トレイ４１０に載置された原稿Ｇのうちの最上にある原稿を繰り込む。
【０００５】
また、前記排出ローラ４３１ａ・４３１ｂは原稿Ｇを上下からニップ可能な状態で設置されている。スイッチバック搬送の際に原稿Ｇの前端部と後端部とが排出ローラ４３１ａ、４３１ｂにおいて重なった状態となる場合があるため、搬送経路４３４に対して上部に設置した排出ローラ４３１ａは、原稿Ｇをスイッチバック搬送した後、搬送経路４３４に対して上方向へ揺動することで排出ローラ４３１ｂと離間するように構成されている。
【特許文献１】特開２００４−３２３１９０号公報
【発明の開示】
【発明が解決しようとする課題】
【０００６】
ところで、上記従来の画像読取装置４００では、ピックアップローラ４１１、及び排出ローラ４３１ａの上記揺動は、別個独立して設けた駆動源により行っている。また、ピックアップローラ４１１、及び排出ローラ４３１ａに限らず、揺動等を伴う部位にはその部位に対応した駆動源が設けられ、その駆動源によって各部位が作動している場合がある。従って、揺動等を伴う部位を作動させるために各部位に対応した駆動源等を別個独立して設置すると、駆動源等の部品点数が多くなり、コストがかかるとともに、装置の小型化が困難になるという問題点があった。
【０００７】
本発明は、かかる問題を解決すべくなされたものであり、原稿の両面を読み取り可能な画像読取装置の揺動等を伴う部位の駆動源を削減することで、駆動源等の部品点数、コスト及び駆動源の設置スペースを削減する画像読取装置を提供することを目的とする。
【課題を解決するための手段】
【０００８】
本発明の解決しようとする課題は以上の如くであり、次にこの課題を解決するための手段を説明する。
【０００９】
即ち、請求項１においては、原稿を反転させて原稿の両面を読み取る画像読取装置において、給紙トレイ上の原稿に接離するように、揺動可能に設けられたピックアップローラと、正逆回転して原稿の搬送方向を切り換え可能であるとともに、相互に接離可能な１対の排出ローラと、前記ピックアップローラの揺動と前記排出ローラの接離とを連動させる連動手段と、を備えたものである。
【００１０】
請求項２においては、原稿を反転させて原稿の両面を読み取る画像読取装置において、揺動することで原稿の搬送方向を切り換える搬送方向切換ゲートと、正逆回転して原稿の搬送方向を切り換え可能であるとともに、相互に接離可能な１対の排出ローラと、前記搬送方向切換ゲートの揺動と前記排出ローラの接離とを連動させる連動手段と、を備えたものである。
【００１１】
請求項３においては、原稿を反転させて原稿の両面を読み取る画像読取装置において、給紙トレイ上の原稿に接離するように、揺動可能に設けられたピックアップローラと、揺動することで原稿の搬送方向を切り換える搬送方向切換ゲートと、前記ピックアップローラの揺動と前記搬送方向切換ゲートの揺動とを連動させる連動手段と、を備えたものである。
【００１２】
請求項４においては、請求項１乃至３のいずれか１項に記載の画像読取装置において、前記給紙トレイの上部に設けた原稿排出部から原稿を排出するための搬送経路を有するものである。
【発明の効果】
【００１３】
本発明の効果として、以下に示すような効果を奏する。
【００１４】
請求項１においては、ピックアップローラと排出ローラと連結して同時に揺動するため、ピックアップローラと排出ローラとの駆動源を共通化することができ、駆動部等の部品点数及びコストを削減することができる。また、駆動源の設置スペースを削減できるため、装置を小型化することができる。
【００１５】
請求項２においては、搬送方向切換ゲートと排出ローラと連結して同時に揺動するため、搬送方向切換ゲートと排出ローラとの駆動源を共通化することができ、駆動部等の部品点数及びコストを削減することができる。また、駆動源の設置スペースを削減できるため、装置を小型化することができる。
【００１６】
請求項３においては、ピックアップローラと搬送方向切換ゲートと連結して同時に揺動するため、ピックアップローラと搬送方向切換ゲートとの駆動源を共通化することができ、駆動部等の部品点数及びコストを削減することができる。また、駆動源の設置スペースを削減できるため、装置を小型化することができる。
【００１７】
請求項４においては、請求項１乃至３と同様の効果が得られるとともに、排出トレイに排出された原稿を容易に視認できる。
【発明を実施するための最良の形態】
【００１８】
以下、本発明の第１の実施形態に係る画像読取装置１００について図面に基づいて説明する。以下では、ローラの回転方向は、原稿Ｇを搬送経路の下流側に搬送するような回転を正回転とし、原稿Ｇを搬送経路の上流側に搬送するような回転を逆回転として説明する。また、上下方向は、画像読取装置を通常使用する姿勢における上下の方向として説明する。さらに、原稿Ｇを給紙トレイ１に載置した際に搬送方向に対して前側となる端部を原稿Ｇの前端部とし、搬送方向に対して後側となる端部を原稿Ｇの後端部として説明する。
【００１９】
図１に示すように、画像読取装置１００は、原稿Ｇの搬送に係る搬送経路と、原稿Ｇを搬送経路に沿って搬送させるための各種ローラと、搬送経路を搬送される原稿Ｇの画像の読み取りを行う画像読取部２１と、読み取り前の原稿が載置される給紙トレイ１と、読み取り後の原稿が載置される第１排出トレイ３４と、を有する。
【００２０】
原稿Ｇの搬送経路は、図２に示すように、給紙トレイ１から第１合流点Ｐ１までを連通する搬送経路である第１搬送経路１０（二点鎖線の部分）と、第１合流点Ｐ１から画像読取部２１を介して第２合流点Ｐ２までを連通する搬送経路である第２搬送経路２０（一点鎖線の部分）と、第２合流点Ｐ２から第１排出トレイ３４までを連通する搬送経路である第３搬送経路３０（点線の部分）と、第１合流点Ｐ１から画像読取部２１を介さず第２合流点Ｐ２までを連通する搬送経路であるスイッチバック搬送経路５０（実線の部分）と、を具備する。ここで、第１合流点Ｐ１とは、第１搬送経路１０とスイッチバック搬送経路５０とが合流する個所のことであり、第２合流点Ｐ２とは、第２搬送経路２０と、第３搬送経路３０と、スイッチバック搬送経路５０と、が合流する個所のことである。
【００２１】
図１に示すように、第１搬送経路１０沿いには、ピックアップローラ１１、セパレートローラ１３及びリタードローラ１４が配置されている。第２搬送経路２０沿いには、プレスローラ２３・２４・２５が順に配置されると共に、プレスローラ２３・２４・２５のすべてに第２搬送経路２０において対向するフィードローラ２６が、配置されている。第３搬送経路３０沿いには、排出ローラ３２ａ・３２ｂが配置されている。
【００２２】
次に、給紙トレイ１から第１排出トレイ３４に至る原稿Ｇの搬送経路に沿って画像読取装置１００の構成を説明する。図１に示すように、給紙トレイ１は、画像読取装置１００のケーシング２の上部に設けられ、給紙トレイ１の一部（下部）は、ケーシング２に形成された原稿給紙口３の内部に挿入されている。
【００２３】
ピックアップローラ１１は、第１搬送経路１０における原稿Ｇの搬送方向に対して上下方向に揺動するとともに、給紙トレイ１に複数載置された原稿Ｇのうち、最上にある原稿Ｇを繰り込むためのローラである。ピックアップローラ１１は揺動アーム１２に軸支されている。また、載置された原稿Ｇの枚数に応じてピックアップローラ１１の高さ位置が変化するように、揺動アーム１２はセパレートローラ１３の軸心周りに回動自在に設けられている。
【００２４】
セパレートローラ１３及びリタードローラ１４は、ピックアップローラ１１の下流側で原稿Ｇをニップできるように配置されている。セパレートローラ１３は、ピックアップローラ１１により繰り出された原稿Ｇを第１搬送経路１０の下流側へ搬送する方向に正回転する。そして、ピックアップローラ１１により複数枚の原稿Ｇが繰り出された場合は、リタードローラ１４は原稿Ｇを搬送する方向とは反対に逆回転し、セパレートローラ１３とリタードローラ１４とにより、最上にある１枚の原稿Ｇのみが第１搬送経路１０の下流側へと送られる。
【００２５】
プレスローラ２３・２４・２５、及びフィードローラ２６は、第１搬送経路１０の搬送方向下流側の第２搬送経路２０に沿って配置されている。フィードローラ２６はプレスローラ２３・２４・２５よりも大径であり、プレスローラ２３・２４・２５のすべてが第２搬送経路２０を挟んでフィードローラ２６に対向する。プレスローラ２３・２４・２５については記載した順に搬送方向に沿って配置されている。また、フィードローラ２６は図示せぬ駆動源により駆動される。プレスローラ２３・２４・２５はフィードローラ２６に接触して原稿Ｇをニップできるようにフィードローラ２６側に付勢されている。このため、プレスローラ２３・２４・２５はフィードローラ２６の回転に連動して回転する。そして、プレスローラ２３・２４・２５とフィードローラ２６とで原稿Ｇをニップして原稿Ｇを第２搬送経路２０に沿って搬送する。
【００２６】
プレスローラ２３の第１搬送経路１０側近傍にはセンサ１５が設置されている。センサ１５は、第１搬送経路１０又はスイッチバック搬送経路５０から搬送されてくる原稿Ｇを検知する検知手段である。センサ１５が原稿Ｇの先端を検知すると、検知信号を図示せぬ制御部に送信する。
【００２７】
プレスローラ２３及びフィードローラ２６はレジストローラとしての機能を有しており、第２搬送経路２０の始端にある第１合流点Ｐ１の直下流部に配置されている。そして、原稿Ｇの画像を適切に読み取るために、第２搬送経路２０にある画像読取位置２７に原稿Ｇを送る前に、フィードローラ２６及びプレスローラ２３のニップ点Ｐ３に原稿Ｇの先端を突き当てて原稿Ｇの斜行を補正する。レジストのタイミングは、センサ１５の検知により決定される。
【００２８】
画像読取部２１は第２搬送経路２０上でプレスローラ２４・２５の間を通過する原稿Ｇの画像を画像読取位置２７において読み取る手段である。画像読取部２１は画像読取位置２７へ光を照射する光源２８と、原稿Ｇからの反射光を所定の方向へ導くための反射ミラー２９・２９・２９と、反射光を収束する集光レンズ６０と、収束光を電気信号に変換して出力する電荷結合素子６１とで構成されている。
【００２９】
第２合流点Ｐ２にはガイド部材３５が設けられている。ガイド部材３５は、支持軸３５ａを中心に揺動自在に支持されており、自重で図示下側に下がっている。この状態では、ガイド部材３５は、第２搬送経路２０を塞いでいるが、第２搬送経路２０から第３搬送経路３０に向けて搬送される原稿Ｇの先端がガイド部材３５に突き当たると、ガイド部材３５は軽いため、上方に持ち上げられ、原稿Ｇはガイド部材３５に妨げられることなく第３搬送経路３０へと搬送される。一方、スイッチバック搬送の際には、原稿Ｇは、第３搬送経路３０を第１合流点Ｐ１側（上流側）へ搬送されるが、この時、ガイド部材３５は、自重で図示下側に下がっており、ガイド部材３５は、第３搬送経路３０とスイッチバック搬送経路５０とを連通させているので、原稿Ｇは、スイッチバック搬送経路５０へと案内される。
【００３０】
排出ローラ３２ａ・３２ｂは正逆回転して原稿Ｇの搬送方向を切換可能であるとともに、相互に接離可能な１対の排出ローラである。排出ローラ３２ａ・３２ｂは第３搬送経路３０に沿うように、且つ第２合流点Ｐ２の搬送方向下流側において、第３搬送経路３０を上下方向に挟むように設けられている。第１ローラ軸３６ａ及び第２ローラ軸３６ｂは、第３搬送経路３０を上下方向に挟むように平行に設けられており、第１ローラ軸３６ａには複数の第１排出ローラ３２ａが等間隔で回転可能に設けられ、第２ローラ軸３６ｂには複数の第２排出ローラ３２ｂが等間隔で回転可能に設けられている。
【００３１】
排出ローラ３２ａ・３２ｂは、第１排出ローラ３２ａの搬送面（原稿と接触する部位の面）と第２排出ローラ３２ｂの搬送面とが対向する状態で互いの搬送面により原稿Ｇをニップできるように配置されている。第３搬送経路３０の上部に配置されている第１排出ローラ３２ａは、第３搬送経路３０における原稿Ｇの搬送方向に対して上下方向に揺動することで第２排出ローラ３２ｂに対して接離する。第１排出ローラ３２ａが第３搬送経路３０における原稿Ｇの搬送方向に対して上方向に揺動可能であることにより、スイッチバック搬送時に擦れ違う原稿Ｇの前端部と後端部とが排出ローラ３２ａ・３２ｂにおいて強く擦れることなく円滑に搬送される。
【００３２】
さらに、排出ローラ３２ａ・３２ｂは回転方向を正逆切り換え自在に構成されている。排出ローラ３２ａ・３２ｂは原稿Ｇを第１排出トレイ３４へ排出する排出ローラの機能を有するとともに、回転方向を切り換えて原稿Ｇを第２合流点Ｐ２側（スイッチバック搬送経路５０）へスイッチバック搬送を行う搬送ローラの機能を有する。
【００３３】
画像読取位置２７の上流側で且つプレスローラ２４の下流側には、原稿Ｇの先端を検知する読取センサ３７が設けられている。読取センサ３７が原稿Ｇの先端を検知すると、読取センサ３７は検知信号を図示せぬ制御部へ送信する。制御部は、当該検知信号に基づき原稿Ｇの搬送パルス数により導き出される所定時間をカウントし、画像読取位置２７での原稿Ｇの画像の読み取りタイミングを決定し、画像読取部２１の読み取り動作を制御する。
【００３４】
第２合流点Ｐ２の上流側には、原稿Ｇの先端を検知するセンサ３８が設けられている。センサ３８が原稿Ｇの先端を検知すると、センサ３８は検知信号を図示せぬ制御部へ送信する。制御部は、当該検知信号に基づき原稿Ｇの搬送パルス数により導き出される所定時間をカウントし、原稿Ｇの搬送方向を切り換える場合には、排出ローラ３２ａ・３２ｂの回転を一旦停止し、排出ローラ３２ａ・３２ｂの回転を逆回転に制御する。
【００３５】
第１排出トレイ３４は、複数枚の原稿Ｇを収容できるように第３搬送経路３０の第１原稿排出口３３から下方に段差を設けて配置されている。第１原稿排出口３３は画像読取装置１００のケーシング２に形成された開口であり、第３搬送経路３０の終端部に位置する。
【００３６】
次に、ピックアップローラ１１の揺動と排出ローラ３２ａの接離とを連動させる連動手段７０について説明する。図３に示すように、連動手段７０はピックアップローラ１１を揺動するための揺動アーム１２と、排出ローラ３２ａの接離を行うための揺動アーム３９と、揺動アーム１２と揺動アーム３９とを連結する連結部７１と、連結部７１を作動する駆動源８０と、から構成されている。
【００３７】
揺動アーム１２は、ピックアップローラ１１が軸支されているアーム部１２ａと、連結部７１に接続されているアーム部１２ｂと、から形成されている。揺動アーム１２はアーム部１２ａとアーム部１２ｂとにより、略Ｌ字状に形成されている。揺動アーム１２の屈曲部付近は、セパレートローラ１３の支持軸１６に回動自在に支持されている。揺動アーム１２が支持軸１６に対して回動することにより、ピックアップローラ１１が第１搬送経路における原稿Ｇの搬送方向に対して上下方向に揺動する。
【００３８】
揺動アーム３９は、第１ローラ軸３６ａを軸支しているアーム部３９ａと、連結部７１に接続されているアーム部３９ｂと、から形成されている。揺動アーム３９はアーム部３９ａとアーム部３９ｂとにより、略Ｌ字状に形成されている。揺動アーム３９の屈曲部付近は、支持軸３９ｃに回動自在に支持されている。揺動アーム３９が支持軸３９ｃに対して回動することにより、排出ローラ３２ａが第３搬送経路３０における原稿Ｇの搬送方向に対して上下方向に揺動する。
【００３９】
連結部７１は、軸７２により屈折自在に揺動アーム１２と揺動アーム３９とを連結している。軸７２にはワイヤ７３とバネ７４とが接続されている。またワイヤ７３は駆動源８０に接続されている。駆動源８０が作動してワイヤ７３を引くことにより、連結部７１がワイヤ７３の引き方向である図示左方向に移動する。連結部７１が移動することで揺動アーム１２が支持軸１６を中心に図示時計回りで回動する。揺動アーム１２が図示時計回りに回動することにより、図３の二点鎖線で示すように、ピックアップローラ１１は支持軸１６を中心に下方に揺動する。つまり、ピックアップローラ１１が原稿Ｇを繰り込む方向である第１搬送経路１０における原稿Ｇの搬送方向下向きに揺動する。
【００４０】
また、同時に連結部７１が移動することで揺動アーム３９が支持軸３９ｃを中心に図示反時計回りで回動する。振動アーム３９が反図示時計回りに回動することにより、図３の二点鎖線で示すように、排出ローラ３２ａが支持軸３９ｃを中心に上方に動作する。つまり、排出ローラ３２ａが排出ローラ３２ｂと離間する方向である第３搬送経路３０における原稿Ｇの搬送方向上向きに揺動する。
【００４１】
一方、駆動源８０の作動が解除されるとワイヤ７３の引きが解除され、バネ７４の復元力により連結部７１が図示右方向に移動する。これにより、図３の実線で示すように、ピックアップローラ１１が支持軸１６を中心に上方に動作する。つまり、ピックアップローラ１１が原稿Ｇから離間する方向である第１搬送経路１０における原稿Ｇの搬送方向上向きに揺動する。
【００４２】
また、連結部７１が図示右方向に移動することで、揺動アーム３９が支持軸３９ｃを中心に図示時計回りで回動する。揺動アーム３９が図示時計回りに回動することにより、図３の実線で示すように、排出ローラ３２ａが支持軸３９ｃを中心に下方に動作する。つまり、排出ローラ３２ａが排出ローラ３２ｂと接する方向である第３搬送経路３０における原稿Ｇの搬送方向上向きに揺動する。
【００４３】
以上のように、駆動源８０が作動してワイヤ７３を引くことで、ピックアップローラ１１は第１搬送経路１０における原稿Ｇの搬送方向に対して下向きへ、排出ローラ３２ａは第３搬送経路３０における原稿Ｇの搬送方向に対して上向きへ、それぞれ同時に揺動する。一方、駆動源８０の作動が解除してワイヤ７３の引きが解除されることで、ピックアップローラ１１は第１搬送経路１０における原稿Ｇの搬送方向に対して上向きへ、排出ローラ３２ａは第３搬送経路３０における原稿Ｇの搬送方向に対して下向きへ、それぞれ同時に揺動する。すなわち、１つの駆動源８０の作動によりピックアップローラ１１と、排出ローラ３２ａとが連動する。
【００４４】
次に、画像読取装置１００における原稿Ｇの搬送動作について説明する。画像読取装置１００は、原稿Ｇの片面の画像のみを読み取る場合と、原稿Ｇの表裏両面の画像を読み取る場合とで、原稿Ｇの搬送動作が異なるため、まず、原稿Ｇの片面の画像のみを読み取る場合について説明する。
【００４５】
図１に示すように、給紙トレイ１に載置された原稿Ｇのうち最上にある原稿Ｇが、ピックアップローラ１１によって取り出される。この時、駆動源８０が作動してワイヤ７３を引く。これにより、図３に示すように、揺動アーム１２が図示時計回りに回動し、ピックアップローラ１１が第１搬送経路１０における原稿Ｇの搬送方向に対して下方向に揺動して原稿Ｇに接触し、原稿Ｇを繰り込む。同時に排出ローラ３２ａは駆動源８０が作動してワイヤ７３を引くことにより第３搬送経路３０における原稿Ｇの搬送方向に対して上向きに揺動する。
【００４６】
ピックアップローラ１１によって繰り込まれた原稿Ｇは、セパレートローラ１３及びリタードローラ１４によりプレスローラ２３とフィードローラ２６とのニップ点Ｐ３へ搬送される。原稿Ｇは、ニップ点Ｐ３へ搬送される途中、センサ１５を通過する。センサ１５が原稿Ｇの前端部を検知すると、当該検知信号に基づいてセパレートローラ１３の駆動を停止する。同時に、駆動源８０の作動が解除されることでワイヤ７３の引きが解除されバネ７４が縮む。これにより、排出ローラ３２ａは第３搬送経路３０における原稿Ｇの搬送方向に対して下方向に揺動するとともに、ピックアップローラ１１は第１搬送経路１０における原稿Ｇの搬送方向に対して上方向へ揺動する。ピックアップローラ１１が第１搬送経路１０における原稿Ｇの搬送方向に対して上方向へ揺動するため、給紙トレイ１に載置された原稿Ｇが繰り込まれることはない。
【００４７】
原稿Ｇは、ニップ点Ｐ３まで搬送されると、プレスローラ２３とフィードローラ２６とによりニップ点Ｐ３で一時停止させられ、原稿Ｇの斜行が補正された状態で第２搬送経路２０へ搬送される。
【００４８】
第２搬送経路２０へ搬送された原稿Ｇは、フィードローラ２６及びプレスローラ２３・２４・２５により搬送されて第３搬送経路３０へと送られる。この搬送中に原稿Ｇは読取センサ３７を通過する。読取センサ３７は原稿Ｇの前端部を検知すると図示せぬ制御部に検知信号を送信する。制御部は検知信号に基づいて所定時間をカウントし、所定時間経過後に画像読取部２１が原稿Ｇの画像の読み取りを開始するように制御する。原稿Ｇは画像読取位置２７を通過する部分の画像が画像読取部２１に読み取られる。つまり原稿Ｇの前端部から後端部までが画像読取位置２７を通過すると原稿Ｇの全面が読み取られたことになる。尚、原稿Ｇが画像読取位置２７を通過するとき、給紙トレイ１で上面となっている第１面が画像読取部２１側を向くので、第１面の画像が画像読取部２１に読み取られる。
【００４９】
片面読み取りのみの場合、第３搬送経路３０に送られた原稿Ｇは、排出ローラ３２ａ・３２ｂの正回転によりそのまま第１排出トレイ３４へと排出される。排出ローラ３２ａ・３２ｂの正回転は原稿Ｇを第１排出トレイ３４へ排出する方向にローラが回転することであるため、この場合、上側の第１排出ローラ３２ａは図示反時計回りに回転し、下側にある第２排出ローラ３２ｂは図示時計回りに回転する。
【００５０】
次に、原稿Ｇの両面の画像を読み取る場合について説明する。片面読み取りの場合は、排出ローラ３２ａ・３２ｂにより第３搬送経路３０に送られた原稿Ｇがそのまま第１排出トレイ３４へと排出されるが、両面読み取りの場合は、第１面の読み取り完了後、そのまま第１排出トレイ３４に排出されるのではなく第２面を読み取るためにスイッチバック搬送される。両面読み取りの場合、片面読み取りが完了して原稿Ｇが第３搬送経路３０に搬送されるまでは片面読み取りのみ場合と同様であるため説明を省略し、スイッチバック搬送が開始されるところから説明する。
【００５１】
第３搬送経路３０に搬送された原稿Ｇは、排出ローラ３２ａ・３２ｂにより原稿Ｇの後端が第２合流点Ｐ２を確実に通過する程度まで第１排出トレイ３４側へ搬送される。センサ３８が原稿Ｇの前端部を検知すると、排出ローラ３２ａ・３２ｂは所定時間後に回転を一旦停止する。ここで所定時間とは、原稿Ｇの前端部がセンサ３８を通過してから原稿Ｇの後端部が排出ローラ３２ａ・３２ｂに到達するまでに要する時間をいう。排出ローラ３２ａ・３２ｂは逆回転することで原稿Ｇをスイッチバック搬送する。排出ローラ３２ａ・３２ｂの逆回転は原稿Ｇを第３搬送経路３０の上流側へ戻す方向にローラが回転することであるため、第１排出ローラ３２ａは時計回りに回転し、第２排出ローラ３２ｂは反時計回りに回転する。第３搬送経路３０をスイッチバック搬送される原稿Ｇは、原稿Ｇの後端部を前にしてガイド部材３５に案内されてスイッチバック搬送経路５０へと搬送され、第１合流点Ｐ１を経由し第２搬送経路２０へと搬送される。
【００５２】
第２搬送経路２０へと搬送される原稿Ｇは、搬送中、センサ１５を通過する。センサ１５が原稿Ｇの後端部（スイッチバック搬送における前側）を検知すると、駆動源８０が作動してワイヤ７３を引く。これにより、排出ローラ３２ａは第３搬送経路３０における原稿Ｇの搬送方向に対して上方向に揺動する。ここで同時にピックアップローラ１１も第１搬送経路１０における原稿Ｇの搬送方向に対して下方向へ揺動し原稿Ｇを繰り込もうとするが、ピックアップローラ１１及びセパレートローラ１３の駆動は、クラッチ機構が切断されることにより停止しているため、給紙トレイ１に載置されている原稿Ｇがピックアップローラ１１より繰り込まれることはない。
【００５３】
ニップ点Ｐ３へと送られた原稿Ｇは、駆動を停止したプレスローラ２３とフィードローラ２６とによりニップ点Ｐ３で一時停止させられる。原稿Ｇの後端部（スイッチバック搬送における前側）全部がニップ点Ｐ３に突き当たって原稿Ｇの斜行が補正された状態で排出ローラ３２ａ・３２ｂは一旦回転を停止する。そして、排出ローラ３２ａ・３２ｂが原稿Ｇを排出する方向に回転するとともに、フィードローラ２６が原稿Ｇを画像読取位置２７に送る方向に回転することで原稿Ｇが第２搬送経路２０の下流側へ搬送される。
【００５４】
第２搬送経路２０へ搬送された原稿Ｇは、フィードローラ２６及びプレスローラ２３・２４・２５により搬送されて第３搬送経路３０へと送られる。この搬送中原稿Ｇは読取センサ３７を通過する。読取センサ３７は原稿Ｇの後端部（スイッチバック搬送における前側）を検知すると図示せぬ制御部に検知信号を送信する。制御部は検知信号に基づいて所定時間をカウントし、所定時間経過後に画像読取部２１が原稿Ｇの画像の読み取りを開始するように制御する。原稿Ｇの後端部から前端部までが画像読取位置２７を通過すると原稿Ｇの全面が読み取られたことになる。尚、原稿Ｇが画像読取位置２７を通過するとき、第２面が画像読取部２１側を向いているので、第２面の画像が画像読取部２１に読み取られる。
【００５５】
また読取センサ３７が原稿Ｇの後端部（スイッチバック搬送における前側）を検知すると、当該検知信号に基づいて所定時間経過後に駆動部８０の作動が解除されることでワイヤ７３の引きが解除されバネ７４が縮む。これにより、排出ローラ３２ａは第３搬送経路３０における原稿Ｇの搬送方向に対して下方向へ揺動する。ここで所定時間とは、原稿Ｇの後端部（スイッチバック搬送における前側）が読取センサ３７を通過してから原稿Ｇの前端部（スイッチバック搬送における後側）が画像読取位置２７を通過するまでに要する時間をいう。
【００５６】
第３搬送経路３０に送られた原稿Ｇは、排出ローラ３２ａ・３２ｂによって、一旦、第１排出トレイ３４側へ搬送されるが、排出はされない。この時、原稿Ｇは第１面（給紙トレイ１で上面となっている面）が上面となっている。この段階で原稿Ｇの両面の画像の読み取りは完了しているが、このまま第１排出トレイ３４へ原稿Ｇを排出すると、先に排出された原稿Ｇの第１面の上に次の原稿Ｇの第２面が重なるように載置され、給紙トレイ１での載置された順番とは異なる順番で載置されてしまう。従って、原稿Ｇの表裏を変更するために、裏面が読み取られた原稿Ｇは再度排出ローラ３２ａ・３２ｂによりスイッチバック搬送される。
【００５７】
再度スイッチバックされた原稿Ｇは、第２面の画像が読み取られる場合と同様の経路（第３搬送経路３０、スイッチバック搬送経路５０、第２搬送経路２０の順）で搬送される。但し、第２搬送経路２０での搬送中に画像読取部２１によって画像を読み取られることはなく、そのまま第３搬送経路３０を介して、第１排出トレイ３４へと排出される。この段階では原稿Ｇは第１面が下方を向いた状態であり、原稿Ｇは給紙トレイ１で載置された順番通りに第１排出トレイ３４上に載置されることになる。
【００５８】
以上説明した本実施の形態に係る画像読取装置１００によれば、駆動源８０がピックアップローラ１１と排出ローラ３２ａとを同時に揺動するため、ピックアップローラ１１と排出ローラ３２ａとの駆動源を個別に設ける必要がなく、駆動源を共有化することができる。よって、駆動部等の部品点数及びコストを削減することができる。また、駆動源を共有化することで駆動源の設置スペースを削減することができるため、装置を小型化することができる。
【００５９】
さらに、ピックアップローラ１１と排出ローラ３２ａの揺動を、センサ１５が原稿Ｇの前端部又は後端部を検知した時、及び読取センサ３７が原稿Ｇの前端部又は後端部を検知した後の所定時間経過後に限定して行うため、ピックアップローラ１１と排出ローラ３２ａの制御が容易である。さらにまた、ピックアップローラ１１と排出ローラ３２ａの揺動するタイミングが画像読取部２１での画像読み取り時と重ならないため、画像読み取り時にピックアップローラ１１と排出ローラ３２ａの揺動による衝撃の影響を受けることはない。
【００６０】
尚、駆動源８０としてはソレノイド、モータ等を用いることができる。また、連結部７１と駆動源８０を屈曲性のあるワイヤ７３で接続したが、剛性のあるアーム等で接続してもよい。さらに、連結部７１と駆動源８０とを直接接続してもよい。
【００６１】
さらにまた、連結部７１を復帰させるための弾性体としてバネ７４を用いたが、バネに限定されない。また、弾性体を連結部７１に接続したが、これに限定されず、他の位置、例えば支持軸１６にトーションバネを用いて復帰させるようにしてもよい。
【００６２】
以上、第１の実施形態ではピックアップローラ１１と排出ローラ３２ａとの駆動源を共有化することについて説明してきたが、駆動源の共有化はピックアップローラ１１と排出ローラ３２ａに限られたものではなく、他の揺動等を伴う部位においても駆動源の共有化は可能である。以下に他の部位について説明する。
【００６３】
本発明の第２の実施形態に係る画像読取装置２００について図４、図５に基づいて説明する。第２の実施形態の画像読取装置２００は、画像読取装置１００と基本構成は同様であるが、原稿Ｇの搬送方向を切り換える搬送方向切換ゲート２２を具備する点、搬送方向切換ゲート２２の揺動と排出ローラ３２ａの接離とが連動する点、原稿Ｇの片面の画像のみを読み取る場合には第１排出トレイ３４に原稿Ｇを排出し、原稿Ｇの表裏両面の画像を読み取る場合には第２排出トレイ４３に原稿Ｇを排出する点が、画像読取装置１００と相違する。以下では、画像読取装置２００について、画像読取装置１００の構成と同一の部分については、同符号を用いると共に適宜説明を省略するものとする。
【００６４】
画像読取装置２００は、画像読取装置１００の構成に加えて、第１排出トレイ３４とは別の第２排出トレイ４３と、第２排出トレイ４３に至る第４搬送経路４０と、第４搬送経路４０に原稿の搬送方向を切り換える搬送方向切換ゲート２２とを備えている。画像読取装置２００においては、第１排出トレイ３４は片面読取原稿専用の排出トレイであり、第２排出トレイ４３は両面読取原稿専用の排出トレイとなっている。
【００６５】
図４に示すように、画像読取装置２００は、画像読取装置１００と同様に、原稿Ｇの搬送に係る搬送経路と、原稿Ｇを搬送経路に沿って搬送させるための各種ローラと、搬送経路を搬送される原稿Ｇの画像の読み取りを行う画像読取部２１と、読み取り前の原稿が載置される給紙トレイ１と、読み取り後の原稿が載置される第１排出トレイ３４及び第２排出トレイ４３とを有している。
【００６６】
図５を用いて、原稿Ｇの搬送経路の構成を説明する。画像読取装置２００は、第１搬送経路１０（二点鎖線の部分）と、第２搬送経路２０（一点鎖線の部分）と、第３搬送経路３０（短い点線の部分）と、スイッチバック搬送経路５０（実線の部分）と、第４合流点Ｐ４から第２原稿排出部４１の第２排出トレイ４３までを連通する搬送経路である第４搬送経路４０（長い点線の部分）とを有する。第４合流点Ｐ４は、第２搬送経路２０と第４搬送経路４０とが合流する個所である。
【００６７】
図４を用いて、原稿Ｇの搬送に係る各種ローラの配置について説明する。第１搬送経路１０に沿って、ピックアップローラ１１、セパレートローラ１３及びリタードローラ１４が配置されている。第２搬送経路２０に沿って、プレスローラ２３・２４・２５が順に配置されると共に、プレスローラ２３・２４・２５のすべてに第２搬送経路２０を挟んで対向するフィードローラ２６が配置されている。第３搬送経路３０に沿って、排出ローラ３２ａ・３２ｂが配置されている。第４搬送経路４０に沿って、排出ローラ４４・４４が配置されている。
【００６８】
搬送方向切換ゲート２２は第１搬送経路１０における原稿Ｇの搬送方向に対して上下方向に揺動することで原稿Ｇの搬送方向を切り換えるゲートである。図６に示すように、搬送方向切換ゲート２２は、支持軸２２ａを中心として、原稿Ｇを搬送方向へ案内する案内部２２ｂと、搬送方向切換ゲート２２を揺動するためのアーム部２２ｃと、から構成されている。搬送方向切換ゲート２２は第４合流点Ｐ４に配置され、支持軸２２ａを中心に揺動自在に支持されている。搬送方向切換ゲート２２は図６に示す駆動部８１が作動することで、第２搬送経路２０を塞ぐ向き（原稿Ｇの搬送方向に対して下向き）、又は第４搬送経路４０を塞ぐ向き（原稿Ｇの搬送方向に対して上向き）に切り換え自在に揺動する。原稿Ｇを第３搬送経路３０へ搬送する場合は、搬送方向切換ゲート２２が第４搬送経路４０を塞ぐ向き（原稿Ｇが第２搬送経路２０へ案内される方向）に切り換えられる。原稿Ｇを第４搬送経路４０へ搬送する場合は、搬送方向切換ゲート２２の端部が第２搬送経路２０を塞ぐ向き（原稿Ｇが第４搬送経路４０へ案内される方向）に切り換えられる。
【００６９】
排出ローラ４４・４４は、第４搬送経路４０上で、第４合流点Ｐ４の搬送方向下流側に配置されている。排出ローラ４４・４４は、スイッチバック搬送経路５０から第２合流点Ｐ２及び第４合流点Ｐ４を経由して、第４搬送経路４０へと搬送された原稿Ｇを第４搬送経路４０に沿って搬送し、第２排出トレイ４３へと排出する。尚、排出ローラ４４・４４においてはローラを正逆回転して原稿Ｇの搬送方向を切り換える必要はなく、また、原稿Ｇの前端部と後端部とが排出ローラ４４・４４のニップ点で擦れ合うことがないため、排出ローラ４４・４４を互いに離間させる必要はない。
【００７０】
第２排出トレイ４３はケーシング２の上面に形成されている。また、第４搬送経路４０の終端部に位置する第２原稿排出口４２がケーシング２の上面に開口して形成されている。そして、第２排出トレイ４３は複数枚の原稿Ｇを収容できるように、ケーシング２上で第２原稿排出口４２よりも下方に段差を設けて形成されている。また第２排出トレイ４３は給紙トレイ１の上部に設けられている。これにより、排出トレイに排出された原稿を容易に視認できる。
【００７１】
次に、搬送方向切換ゲート２２の揺動と排出ローラ３２ａの接離とを連動させる連動手段９０について説明する。
【００７２】
図６に示すように、連動手段９０は、搬送方向切換ゲート２２を揺動するためのアーム部２２ｃと、排出ローラ３２ａの接離を行うための揺動アーム７５と、アーム部２２ｃと揺動アーム７５とを連結するワイヤ９１と、ワイヤ９１を作動する駆動源８１と、から構成されている。
【００７３】
アーム部２２ｃは、原稿Ｇを搬送方向に案内する案内部２２ｂとともに搬送方向切換ゲート２２を形成する部材である。搬送方向切換ゲート２２は案内部２２ｂとアーム部２２ｃとにより、略Ｌ字状に形成されている。搬送方向切換ゲート２２の屈曲部付近は、支持軸２２ａに回動自在に支持されている。アーム部２２ｃはワイヤ９１及びバネ９２に接続されている。アーム部２２ｃはワイヤ９１が引かれることで、図６の二点鎖線で示すように、図示反時計回りに回動する。これにより案内部２２ｂが第４搬送経路４０を塞ぐ向き（原稿Ｇが第２搬送経路２０へ案内される方向）に回動する。また、アーム部２２ｃはワイヤ９１の引きが解除されると、バネ９２の復元力により図示時計回りに回動する。これにより案内部２２ｂが第２搬送経路２０を塞ぐ向き（原稿Ｇが第４搬送経路４０へ案内される方向）に回動する。
【００７４】
揺動アーム７５は第１ローラ軸３６ａが軸支されているアーム部７５ａと、ワイヤ９１に接続されているアーム部７５ｂと、から形成されている。揺動アーム７５はアーム部７５ａとアーム部７５ｂとにより、略Ｌ字状に形成されている。揺動アーム７５の屈曲部付近は、支持軸７６に回動自在に支持されている。揺動アーム７５が支持軸７６に対して回動することにより、排出ローラ３２ａが第３搬送経路３０における原稿Ｇの搬送方向に対して上下方向に揺動する。
【００７５】
ワイヤ９１は、アーム部２２ｃと揺動アーム７５とを連結している。ワイヤ９１はワイヤ７８を介して駆動源８１が接続されている。
【００７６】
駆動源８１が作動してワイヤ７８を引くと、揺動アーム７５が支持軸７６を中心に図示時計回りで回動する。揺動アーム７５が図示時計回りに回動することにより、図６の二点鎖線で示すように、排出ローラ３２ａが支持軸７６を中心に上方に動作する。つまり、排出ローラ３２ａが第３搬送経路３０における原稿Ｇの搬送方向に対して上方向に揺動する。
【００７７】
また、駆動源８１が作動してワイヤ７８を引くことでワイヤ９１が引かれる。ワイヤ９１が引かれることで、図６の二点差線で示すように、搬送方向切換ゲート２２が第４搬送経路４０を塞ぐ向き（原稿Ｇが第２搬送経路２０へ案内される方向）である図示反時計回りに回動する。つまり、搬送方向切換ゲート２２が第１搬送経路１０における原稿Ｇの搬送方向に対して上方向に揺動する。
【００７８】
一方、駆動源８１の作動が解除されワイヤ７８の引きが解除されると、揺動アーム７５が支持軸７６を中心に図示反時計回りで回動する。揺動アーム７５が図示反時計回りに回動することにより、図６の実線で示すように、排出ローラ３２ａが支持軸７６を中心に下方に動作する。つまり、排出ローラ３２ａが第３搬送経路３０における原稿Ｇの搬送方向に対して下方向に揺動する。
【００７９】
また、駆動源８１の作動が解除されワイヤ７８の引きが解除されることによりワイヤ９１の引きが解除される。ワイヤ９１の引きが解除されるとバネ９２の復元力により搬送方向切換ゲート２２が第２搬送経路２０を塞ぐ向き（原稿Ｇが第４搬送経路４０へ案内される方向）である図示時計回りに回動する。つまり、搬送方向切換ゲート２２が第１搬送経路１０における原稿Ｇの搬送方向に対して下方向に揺動する。
【００８０】
以上のように、駆動源８１が作動してワイヤ７８を引くことで、排出ローラ３２ａは第３搬送経路３０における原稿Ｇの搬送方向に対して上方向へ、搬送方向切換ゲート２２は第１搬送経路１０における原稿Ｇの搬送方向に対して上方向へ、それぞれ同時に揺動する。一方、駆動源８１の作動が解除されてワイヤ７８の引きが解除されることで、排出ローラ３２ａは第３搬送経路３０における原稿Ｇの搬送方向に対して下方向へ、搬送方向切換ゲート２２は第１搬送経路１０における原稿Ｇの搬送方向に対して上方向へ、それぞれ同時に揺動する。すなわち、１つの駆動源８１の作動により、搬送方向切換ゲート２２と、排出ローラ３２ａとが連動する。
【００８１】
次に、画像読取装置２００における原稿Ｇの搬送動作について説明する。画像読取装置２００は、原稿Ｇの片面の画像のみを読み取る場合と、原稿Ｇの表裏両面の画像を読み取る場合とで、原稿Ｇの搬送動作が異なるため、まず、原稿Ｇの片面の画像のみを読み取る場合について説明する。
【００８２】
図４に示すように、給紙トレイ１に載置された複数の原稿Ｇのうち最上にある原稿Ｇが、ピックアップローラ１１によって取り出される。ピックアップローラ１１によって取り出された原稿Ｇは、セパレートローラ１３及びリタードローラ１４によりプレスローラ２３とフィードローラ２６とのニップ点Ｐ３へ搬送される。原稿Ｇはニップ点Ｐ３へ搬送される途中センサ１５を通過する。センサ１５が原稿Ｇの先端を検知すると、当該検知信号に基づいてセパレートローラ１３の駆動を停止する。同時に、駆動源８１が作動してワイヤ７８を引く。これにより排出ローラ３２ａは第３搬送経路３０における原稿Ｇの搬送方向に対して上方向に揺動するとともに、搬送方向切換ゲート２２が第１搬送経路１０における原稿Ｇの搬送方向に対して上方向（第２搬送経路２０へ案内する向き）に揺動する。
【００８３】
原稿Ｇの先端は、プレスローラ２３とフィードローラ２６とによりニップ点Ｐ３で一時停止させられ、原稿Ｇの斜行が補正された状態で第２搬送経路２０へ搬送される。
【００８４】
第２搬送経路２０へ搬送された原稿Ｇは、フィードローラ２６及びプレスローラ２
３・２４・２５により搬送されて第３搬送経路３０へと送られる。この搬送中に原稿Ｇは読取センサ３７を通過する。読取センサ３７は原稿Ｇの前端部を検知すると図示せぬ制御部に検知信号を送信する。制御部は検知信号に基づいて所定時間をカウントし、所定時間経過後に画像読取部２１が原稿Ｇの画像の読み取りを開始するように制御する。原稿Ｇの前端部から後端部までが画像読取位置２７を通過すると原稿Ｇの第１面が読み取られたことになる。
【００８５】
また読取センサ３７が原稿Ｇの前端部を検知すると、当該検知信号に基づいて所定時間経過後に駆動部８１の作動が解除されワイヤ７８の引きが解除される。これにより排出ローラ３２ａは第３搬送経路３０における原稿Ｇの搬送方向に対して下方向に揺動する。この時、搬送方向切換ゲート２２が第１搬送経路１０における原稿Ｇの搬送方向に対して下方向（第４搬送経路４０へ案内する向き）に揺動するが、原稿Ｇの後端部はすでに第４合流点Ｐ４を通過しているため原稿Ｇが搬送方向切換ゲート２２に接触することはない。
【００８６】
片面読み取りのみ場合、第３搬送経路３０に送られた原稿Ｇは、排出ローラ３２ａ・３２ｂの正回転によりそのまま第１排出トレイ３４へと排出される。
【００８７】
次に、原稿Ｇの両面の画像を読み取る場合について説明する。片面読み取りの場合は、排出ローラ３２ａ・３２ｂにより第３搬送経路３０に送られた原稿Ｇがそのまま第１排出トレイ３４へと排出されるが、両面読み取りの場合は、第１面の読み取り完了後、そのまま第１排出トレイ３４に排出されるのではなく、第２面を読み取るためにスイッチバック搬送される。両面読み取りの場合、第１面の読み取りが完了して原稿Ｇが第３搬送経路３０に搬送されるまでは片面読み取りのみ場合と同様であるため、説明を省略し、スイッチバック搬送が開始されるところから説明する。
【００８８】
第３搬送経路３０に搬送された原稿Ｇは、排出ローラ３２ａ・３２ｂにより原稿Ｇの後端が第２合流点Ｐ２を確実に通過する程度まで、第１排出トレイ３４側へ搬送される。センサ３８が原稿Ｇの前端部を検知すると、排出ローラ３２ａ・３２ｂは、所定時間後に回転を一旦停止する。同時に、駆動部８１の作動が解除されワイヤ７８の引きが解除される。これにより排出ローラ３２ａは第３搬送経路３０における原稿Ｇの搬送方向に対して下方向に揺動する。そして、排出ローラ３２ａ・３２ｂは逆回転することで原稿Ｇをスイッチバック搬送する。排出ローラ３２ａ・３２ｂの逆回転は原稿Ｇを第３搬送経路３０の上流側へ戻す方向にローラが回転することであるため、第１排出ローラ３２ａは時計回りに回転し、第２排出ローラ３２ｂは反時計回りに回転する。第３搬送経路３０をスイッチバック搬送される原稿Ｇは原稿Ｇの後端部を前にしてガイド部材３５に案内されてスイッチバック搬送経路５０へと搬送され、第１合流点Ｐ１を経由し、第２搬送経路２０へと搬送される。
【００８９】
原稿Ｇは、第２搬送経路２０へと搬送される途中、センサ１５を通過する。センサ１５が原稿Ｇの後端部（スイッチバック搬送における前側）を検知すると、当該検知信号に基づいて駆動源８１が作動してワイヤ７８を引く。これにより排出ローラ３２ａは第３搬送経路３０における原稿Ｇの搬送方向に対して上方向に揺動するとともに、搬送方向切換ゲート２２が第１搬送経路１０における原稿Ｇの搬送方向に対して上方向（第２搬送経路２０へ案内する向き）に揺動する。
【００９０】
ニップ点Ｐ３へと送られた原稿Ｇの後端部（スイッチバック搬送における前側）は、駆動を停止したプレスローラ５１とフィードローラ５４とによりニップ点Ｐ３で一時停止させられる。原稿Ｇの先端全部がニップ点Ｐ３に突き当たって原稿Ｇの斜行が補正された状態で排出ローラ３２ａ・３２ｂは一旦回転を停止する。そして、排出ローラ３２ａ・３２ｂが原稿Ｇを排出する方向に回転するとともに、フィードローラ５４が連動して原稿Ｇを第４合流点Ｐ４に送る方向に回転することで原稿Ｇが第２搬送経路２０へ搬送される。
【００９１】
第２搬送経路２０へ搬送された原稿Ｇはフィードローラ２６及びプレスローラ２３・２４・２５により搬送されて第３搬送経路３０へと送られる。この搬送中に原稿Ｇは読取センサ３７を通過する。読取センサ３７は原稿Ｇの後端部（スイッチバック搬送における前側）を検知すると図示せぬ制御部に検知信号を送信する。制御部は検知信号に基づいて所定時間をカウントし、所定時間経過後画像読取部２１が原稿Ｇの画像の読み取りを開始するように制御する。原稿Ｇの前端部から後端部までが画像読取位置２７を通過すると、原稿Ｇの第２面が読み取られたことになる。
【００９２】
画像読取位置２７を通過した原稿Ｇは、第３搬送経路３０へと送られる途中、センサ３８を通過する。読取センサ３７が原稿Ｇの後端部（スイッチバック搬送における前側）を検知した後、所定時間後に、当該検知信号に基づいて駆動部８１の作動が解除されワイヤ７８の引きが解除される。これにより排出ローラ３２ａは第３搬送経路３０における原稿Ｇの搬送方向に対して下方向に揺動するとともに、搬送方向切換ゲート２２が第１搬送経路１０における原稿Ｇの搬送方向に対して下方向（第２搬送経路２０を塞ぐ向き）に揺動する。そして、原稿Ｇの前端部（スイッチバック搬送における後側）が第２合流点Ｐ２を通過した後に、排出ローラ３２ａ・３２ｂは逆回転に切り換えられ原稿Ｇをスイッチバック搬送する。第３搬送経路３０をスイッチバック搬送される原稿Ｇは原稿Ｇの前端部を前にしてガイド部材３５に案内されてスイッチバック搬送経路５０へと搬送され、第１合流点Ｐ１を経由し、第２搬送経路２０の下流側へと搬送される。このように搬送することにより原稿Ｇの擦れ合いが防止される。
【００９３】
第２搬送経路２０の下流側へ搬送される原稿Ｇは、搬送方向切換ゲート２２により搬送方向が切り換えられたことで、第４合流点Ｐ４を経由して、第４搬送経路４０へ案内される。第４搬送経路４０へ案内された原稿Ｇは、排出ローラ４４・４４により第２原稿排出口４２から第２排出トレイ４３へ排出される。原稿Ｇは第４搬送経路４０を搬送されることで、原稿Ｇの面が反転され、給紙トレイ１で上面であった表面が下向きとなり、その状態で第２排出トレイ４３へ排出される。
【００９４】
以上説明した本実施の形態に係る画像読取装置２００によれば、駆動源８１が搬送方向切換ゲート２２と排出ローラ３２ａとを同時に揺動するため、搬送方向切換ゲート２２と排出ローラ３２ａとの駆動源を個別に設ける必要がなく、駆動源を共有化することができる。よって、駆動部等の部品点数及びコストを削減することができる。また、駆動源を共有化することで駆動源の設置スペースを削減することができるため、装置を小型化することができる。
【００９５】
さらに、搬送方向切換ゲート２２と排出ローラ３２ａの揺動をセンサ１５が原稿Ｇの前端部又は後端部を検知した時、及び読取センサ３７が原稿Ｇの前端部又は後端部を検知した後の所定時間経過後に限定して行うため搬送方向切換ゲート２２と排出ローラ３２ａの制御が容易である。さらにまた、搬送方向切換ゲート２２と排出ローラ３２ａの揺動するタイミングが画像読取部２１での画像読み取り時と重ならないため、画像読み取り時に、搬送方向切換ゲート２２と排出ローラ３２ａの揺動による衝撃の影響を受けることはない。
【００９６】
また、画像読取装置２００によれば、第２排出トレイ４３を給紙トレイ１の上部に設けていることから、排出トレイに排出された原稿を容易に視認できる。
【００９７】
尚、駆動源８１としては、ソレノイド、モータ等を用いることができる。また、アーム部２２ｃ及び揺動アーム７５と、駆動源８１とをワイヤ７８及びワイヤ９１で接続したが、接続はワイヤに限定されない。さらに、バネ９２を搬送方向切換ゲート２２に接続した構成としたが、バネ９２及びバネ９２の設置位置は当該構成に限定されない。
【００９８】
次に、本発明の第３の実施形態に係る画像読取装置３００について説明する。画像読取装置３００は画像読取装置２００と基本構成は同様であるが、画像読取装置２００は搬送方向切換ゲート２２の揺動と排出ローラ３２ａの接離との駆動源を共有化したのに対し、画像読取装置３００はピックアップローラ１１の揺動と搬送方向切換ゲート２２の揺動との駆動源を共有化した点で相違する。以下では、画像読取装置３００について、画像読取装置２００の構成と同一の部分については、同符号を用いると共に、適宜説明を省略するものとする。
【００９９】
まず、ピックアップローラ１１の揺動と搬送方向切換ゲート２２の揺動とを連動させる連動手段９５について説明する。
【０１００】
図７に示すように、連動手段９５は、ピックアップローラ１１を揺動するための揺動アーム１２と、搬送方向切換ゲート２２を揺動するためのアーム部２２ｃと、ピックアップローラ１１とアーム部２２ｃとを連結するワイヤ９６と、ワイヤ９６を作動する駆動源９７と、から構成されている。
【０１０１】
揺動アーム１２は、ピックアップローラ１１が軸支されているアーム部１２ａと、バネ８３が接続されているアーム部１２ｂと、から形成されている。揺動アーム１２はアーム部１２ａとアーム部１２ｂとにより、略Ｌ字状に形成されている。揺動アーム１２の屈曲部付近は、支持軸１６に回動自在に設けられている。揺動アーム１２が支持軸１６に対して回動することにより、ピックアップローラ１１が第１搬送経路１０における原稿Ｇの搬送方向に対して上下方向に揺動する。
【０１０２】
アーム部２２ｃは、原稿Ｇを搬送方向に案内する案内部２２ｂとともに搬送方向切換ゲート２２を形成する部材である。搬送方向切換ゲート２２は案内部２２ｂとアーム部２２ｃとにより、略Ｌ字状に形成されている。搬送方向切換ゲート２２の屈曲部付近は、支持軸２２ａに回動自在に支持されている。アーム部２２ｃはワイヤ９８を介して駆動源９７に接続されている。アーム部２２ｃは駆動源９７が作動することで、図７の二点差線で示すように、図示反時計回りに回動する。これにより案内部２２ｂが第４搬送経路４０を塞ぐ向き（原稿Ｇが第２搬送経路２０へ案内される方向）に回動する。また、アーム部２２ｃは、駆動源９７の作動が解除されるとバネ８３の復元力により図示時計回りに回動する。これにより案内部２２ｂが第２搬送経路２０を塞ぐ向き（原稿Ｇが第４搬送経路４０へ案内される方向）に回動する。
【０１０３】
ワイヤ９６はピックアップローラ１１と搬送方向切換ゲート２２とを連結している。
ワイヤ９６は一端部がアーム部１２ｂに、他端部がアーム部２２ｃに、それぞれ接続されている。
【０１０４】
駆動源９７が作動してワイヤ９８を引くと、図７の二点差線で示すように、アーム部２２ｃが図示反時計回りに回動し、案内部２２ｂが第１搬送経路における原稿Ｇの搬送方向に対して上方向（第２搬送経路２０へ案内する向き）に揺動する。アーム部２２ｃが図示反時計回りに回動することでワイヤ９６が引かれる。ワイヤ９６が引かれることで揺動アーム１２がセパレートローラ１３の支持軸１６を中心に図示時計回りで回動する。揺動アーム１２が図示時計回りに回動することにより、図７の二点鎖線で示すように、ピックアップローラ１１が支持軸１６を中心に下方に動作する。つまり、ピックアップローラ１１が第１搬送経路における原稿Ｇの搬送方向に対して下方向に揺動する。
【０１０５】
一方、駆動源９７の作動が解除されワイヤ９８の引きが解除されると、バネ８３の復元力によりワイヤ９６が引かれ、搬送方向切換ゲート２２のアーム部２２ｃが図示時計回りに回動し、案内部２２ｂが第１搬送経路における原稿Ｇの搬送方向に対して下方向（第４搬送経路４０へ案内する向き）に揺動する。
【０１０６】
また、駆動源９７の作動が解除されワイヤ９８の引きが解除されると、バネ８３の復元力により揺動アーム１２がセパレートローラ１３の支持軸１６を中心に図示反時計回りで回動する。揺動アーム１２が図示反時計回りに回動することによりピックアップローラ１１が支持軸１６を中心に上方に動作する。つまり、ピックアップローラ１１が第１搬送経路１０における原稿Ｇの搬送方向に対して上方向に揺動する。
【０１０７】
以上のように、駆動源９７が作動してワイヤ９８を引くことで搬送方向切換ゲート２２は第１搬送経路１０における原稿Ｇの搬送方向に対して上方向へ、ピックアップローラ１１は第１搬送経路１０における原稿Ｇの搬送方向に対して下方向へ、それぞれ同時に揺動する。一方、駆動源９７の作動が解除されワイヤ９８の引きが解除されることで、搬送方向切換ゲート２２は第１搬送経路１０における原稿Ｇの搬送方向に対して下方向へ、ピックアップローラ１１は第１搬送経路１０における原稿Ｇの搬送方向に対して上方向へ、それぞれ同時に揺動する。すなわち、１つの駆動源９７の駆動によりピックアップローラ１１と、搬送方向切換ゲート２２とが連動する。
【０１０８】
次に、画像読取装置３００における原稿Ｇの搬送動作について説明する。
画像読取装置３００は、原稿Ｇの片面の画像のみを読み取る場合と、原稿Ｇの表裏両面の画像を読み取る場合とで、原稿Ｇの搬送動作が異なるため、まず、原稿Ｇの片面の画像のみを読み取る場合について説明する。
【０１０９】
給紙トレイ１に載置された原稿Ｇのうち最上にある原稿Ｇが、ピックアップローラ１１によって取り出される。この時、駆動源９７が作動してワイヤ９８を引く。これにより、搬送方向切換ゲート２２が第１搬送経路１０における原稿Ｇの搬送方向に対して上方向（第２搬送経路２０へ案内する向き）へ、ピックアップローラ１１が第１搬送経路１０における原稿Ｇの搬送方向に対して下方向へ、それぞれ同時に揺動する。
【０１１０】
ピックアップローラ１１によって繰り込まれた原稿Ｇは、セパレートローラ１３及びリタードローラ１４によりプレスローラ２３とフィードローラ２６とのニップ点Ｐ３へ搬送される。原稿Ｇはニップ点Ｐ３へ搬送される途中、センサ１５を通過する。センサ１５が原稿Ｇの前端部を検知すると当該検知信号に基づいてセパレートローラ１３の駆動をクラッチ機構により停止する。
【０１１１】
原稿Ｇは、プレスローラ２３とフィードローラ２６とにより、ニップ点Ｐ３で一時停止させられ、原稿Ｇの斜行が補正された状態で第２搬送経路２０へ搬送される。
【０１１２】
第２搬送経路２０へ搬送された原稿Ｇは、フィードローラ２６及びプレスローラ２３・２４・２５により搬送されて第３搬送経路３０へと送られる。この搬送中に原稿Ｇは読取センサ３７を通過する。読取センサ３７は原稿Ｇの前端部を検知すると図示せぬ制御部に検知信号を送信する。制御部は検知信号に基づいて所定時間をカウントし、所定時間経過後に画像読取部２１が原稿Ｇの画像の読み取りを開始するように制御する。原稿Ｇの前端部から後端部までが画像読取位置２７を通過すると、原稿Ｇの第１面が読み取られたことになる。
【０１１３】
片面読み取りのみ場合、第３搬送経路３０に送られた原稿Ｇは排出ローラ３２ａ・３２ｂの正回転によりそのまま第１排出トレイ３４へと排出される。
【０１１４】
次に、原稿Ｇの両面の画像を読み取る場合について説明する。片面読み取りの場合は、排出ローラ３２ａ・３２ｂにより第３搬送経路３０に送られた原稿Ｇがそのまま第１排出トレイ３４へと排出されるが、両面読み取りの場合は、第１面の読み取り完了後、そのまま第１排出トレイ３４に排出されるのではなく裏面を読み取るためにスイッチバック搬送される。両面読み取りの場合、第１面の読み取りが完了して原稿Ｇが第３搬送経路３０に搬送されるまでは片面読み取りのみ場合と同様であるため、説明を省略し、スイッチバック搬送が開始されるところから説明する。
【０１１５】
第３搬送経路３０に搬送された原稿Ｇは、排出ローラ３２ａ・３２ｂにより原稿Ｇの後端が第２合流点Ｐ２を確実に通過する程度まで、第１排出トレイ３４側へ搬送される。センサ３８が原稿Ｇの前端部を検知すると、排出ローラ３２ａ・３２ｂは、所定時間後に回転を一旦停止する。そして、排出ローラ３２ａ・３２ｂは逆回転することで原稿Ｇをスイッチバック搬送する。第３搬送経路３０をスイッチバック搬送される原稿Ｇは、原稿Ｇの後端部を前にしてガイド部材３５に案内されてスイッチバック搬送経路５０へと搬送され、第１合流点Ｐ１を経由し、第２搬送経路２０へと搬送される。
【０１１６】
ニップ点Ｐ３へと送られた原稿Ｇの後端部（スイッチバック搬送における前側）は、駆動を停止したプレスローラ５１とフィードローラ５４とによりニップ点Ｐ３で一時停止させられる。原稿Ｇの先端全部がニップ点Ｐ３に突き当たって原稿Ｇの斜行が補正された状態で排出ローラ３２ａ・３２ｂは一旦回転を停止する。そして、排出ローラ３２ａ・３２ｂが原稿Ｇを排出する方向に回転するとともに、フィードローラ５４が連動して原稿Ｇを第４合流点Ｐ４に送る方向に回転することで原稿Ｇが第２搬送経路２０へ搬送される。
【０１１７】
第２搬送経路２０へ搬送された原稿Ｇは、フィードローラ２６及びプレスローラ２３・２４・２５により搬送されて第３搬送経路３０へと送られる。この搬送中に原稿Ｇは読取センサ３７を通過する。読取センサ３７は原稿Ｇの後端部（スイッチバック搬送における前側）を検知すると図示せぬ制御部に検知信号を送信する。制御部は検知信号に基づいて所定時間をカウントし、所定時間経過後に画像読取部２１が原稿Ｇの画像の読み取りを開始するように制御する。原稿Ｇの前端部から後端部までが画像読取位置２７を通過すると原稿Ｇの第２面が読み取られたことになる。
【０１１８】
画像読取位置２７を通過した原稿Ｇは、第３搬送経路３０へと送られる途中、センサ３８を通過する。読取センサ３７が原稿Ｇの後端部（スイッチバック搬送における前側）を検知した後、所定時間後に、当該検知信号に基づいて駆動部８６の作動が解除されワイヤ９８の引きが解除される。これにより、搬送方向切換ゲート２２が第１搬送経路１０における原稿Ｇの搬送方向に対して下方向（第４搬送経路４０へ案内する向き）に揺動する。そして、原稿Ｇの前端部（スイッチバック搬送における後側）が第２合流点Ｐ２を通過した後に、排出ローラ３２ａ・３２ｂは逆回転に切り換えられ原稿Ｇをスイッチバック搬送する。第３搬送経路３０をスイッチバック搬送される原稿Ｇは、原稿Ｇの後端部を前にしてガイド部材３５に案内されて、スイッチバック搬送経路５０へと搬送され、第１合流点Ｐ１を経由し、第２搬送経路２０の下流側へと搬送される。このように搬送することにより原稿Ｇの擦れ合いが防止される。
【０１１９】
第２搬送経路２０の下流側へ搬送される原稿Ｇは、搬送方向切換ゲート２２により搬送方向が切り換えられたことで、第４合流点Ｐ４を経由して第４搬送経路４０へ案内される。第４搬送経路４０へ案内された原稿Ｇは、排出ローラ４４・４４により第２原稿排出口４２から第２排出トレイ４３へ排出される。原稿Ｇは第４搬送経路４０を搬送されることで、原稿Ｇの面が反転され、給紙トレイ１で上面であった表面が下向きとなり、その状態で第２排出トレイ４３へ排出される。
【０１２０】
以上説明した本実施の形態に係る画像読取装置３００によれば、駆動源９７がピックアップローラ１１と、搬送方向切換ゲート２２とを同時に揺動するため、ピックアップローラ１１と搬送方向切換ゲート２２との駆動源を個別に設ける必要がなく、駆動源を共有化することができる。よって、駆動部等の部品点数及びコストを削減することができる。また、駆動源を共有化することで駆動源の設置スペースを削減することができるため装置を小型化することができる。
【０１２１】
さらに、ピックアップローラ１１と搬送方向切換ゲート２２の揺動をセンサ１５が原稿Ｇの前端部又は後端部を検知した時、及び読取センサ３７が原稿Ｇの前端部又は後端部を検知した後の所定時間経過後に限定して行うためピックアップローラ１１と搬送方向切換ゲート２２の制御が容易である。さらにまた、ピックアップローラ１１と搬送方向切換ゲート２２の揺動するタイミングが画像読取部２１での画像読み取り時と重ならないため、画像読み取り時にピックアップローラ１１と搬送方向切換ゲート２２の揺動による衝撃の影響を受けることはない。
【０１２２】
また、画像読取装置３００によれば第２排出トレイ４３を給紙トレイ１の上部に設けていることから排出トレイに排出された原稿を容易に視認できる。
【０１２３】
尚、駆動源９７としては、ソレノイド、モータ等を用いることができる。また、アーム部１２ｂ及びアーム部２２ｃと、駆動源８１とをワイヤ９６及びワイヤ９８で接続したが、接続はワイヤに限定されない。さらに、バネ８３を揺動アーム１２に接続した構成としたが、バネ８３及びバネ８３の設置位置は当該構成に限定されない。
【０１２４】
画像読取装置２００、３００においては、ピックアップローラ１１と搬送方向切換ゲート２２の駆動源、及び搬送方向切換ゲート２２と排出ローラ３２ａの駆動源、の共有化について説明したが、ピックアップローラ１１と排出ローラ３２ａの駆動源を共有化した構成を画像読取装置２００、３００に適用しても構わない。
【０１２５】
以上のように、画像読取部の揺動等を伴う部位同士を連結し、駆動源を共有化して同時に揺動させることにより、駆動部等の部品点数、コスト、駆動源の設置スペースを削減することができる。
【図面の簡単な説明】
【０１２６】
【図１】本発明の第１の実施形態に係る画像読取装置１００の内部構造を示す正面図。
【図２】画像読取装置１００における原稿Ｇの搬送経路を示す概略図。
【図３】画像読取装置１００におけるピックアップローラ１１及び排出ローラ３２ａの概略図。
【図４】本発明の第２の実施形態に係る画像読取装置２００の内部構造を示す正面図。
【図５】画像読取装置２００における原稿Ｇの搬送経路を示す概略図。
【図６】画像読取装置２００における搬送方向切換ゲート２２及び排出ローラ３２ａの概略図。
【図７】本発明の第３の実施形態に係る画像読取装置３００におけるピックアップローラ１１及び搬送方向切換ゲート２２の概略図。
【図８】従来の画像読取装置４００の内部構造を示す正面図。
【符号の説明】
【０１２７】
１                      給紙トレイ
１１                    ピックアップローラ
２２                    搬送方向切換ゲート
３２ａ、３２ｂ          排出ローラ
４０                    第４搬送経路
４１                    第２原稿排出部
７０、９０、９５        連動手段
１００、２００、３００  画像読取装置
Ｇ                      原稿
【図１】
2009018887.tif 000003
【図２】
2009018887.tif 000004
【図３】
2009018887.tif 000005
【図４】
2009018887.tif 000006
【図５】
2009018887.tif 000007
【図６】
2009018887.tif 000008
【図７】
2009018887.tif 000009
【図８】
2009018887.tif 000010